(57)【特許請求の範囲】
【請求項１】
集出荷場で収集される農産物の集荷量の調整を支援するための装置であって、
前記集出荷場に納入された農産物の納入量を取得する、データ取得部と、
取得された前記納入量に係数を乗算し、得られた乗算値を、納入された前記農産物のうちの出荷可能な農産物の量として推定する、ルールを、取得された前記納入量に適用して、納入された前記農産物のうちの出荷可能な農産物の量を推定する、集荷量予測部と、
推定された前記出荷可能な農産物の量を外部に通知する、データ通知部と、
を備え、
前記データ取得部が、更に、納入された前記農産物に対する調製作業において出荷可能と判断された農産物の量である集荷量を取得し、
前記集荷量予測部が、新たに農産物が納入される度に、前記集荷量と前記納入量との比率を算出し、更に算出した前記比率全ての平均値を算出し、算出した前記平均値に基づいて、前記係数を更新することによって、前記ルールを更新する、
ことを特徴とする集荷量調整支援装置。
【請求項２】
前記ルールがカテゴリ毎に設定されており、
前記集荷量予測部が、前記カテゴリ毎に、前記出荷可能な農産物の量の推定と、前記ルールの更新とを実行する、
請求項１に記載の集荷量調整支援装置。
【請求項３】
前記集荷量予測部が、設定された期間中において、取得された前記集荷量と、前記調製作業が行なわれていない農産物について推定した前記出荷可能な農産物の量と、を用いて、前記設定された期間における出荷量を推定し、
前記データ通知部が、更に、推定された前記出荷量を外部に通知する、
請求項１または２に記載の集荷量調整支援装置。
【請求項４】
前記集荷量予測部が、推定した前記出荷量と、予め設定されている予定出荷量とを比較し、
前記データ通知部が、更に、推定した前記出荷量と前記予定出荷量との比較の結果を外部に通知する、
請求項３に記載の集荷量調整支援装置。
【請求項５】
集出荷場で収集される農産物の集荷量の調整を支援するための方法であって、
（ａ）コンピュータによって、前記集出荷場に納入された農産物の納入量を取得する、ステップと、
（ｂ）前記コンピュータによって、取得された前記納入量に係数を乗算し、得られた乗算値を、納入された前記農産物のうちの出荷可能な農産物の量として推定する、ルールを、前記（ａ）のステップで取得された前記納入量に適用して、納入された前記農産物のうちの出荷可能な農産物の量を推定する、ステップと、
（ｃ）前記コンピュータによって、前記（ｂ）のステップで推定された前記出荷可能な農産物の量を外部に通知する、
ステップと、
（ｄ）前記コンピュータによって、納入された前記農産物に対する調製作業において出荷可能と判断された農産物の量である集荷量を取得する、ステップと、
（ｅ）前記コンピュータによって、新たに農産物が納入される度に、前記（ｄ）のステップで取得された前記集荷量と前記（ａ）のステップで取得された前記納入量との比率を算出し、更に算出した前記比率全ての平均値を算出し、算出した前記平均値に基づいて、前記係数を更新することによって、前記ルールを更新する、ステップと、
を有する、ことを特徴とする集荷量調整支援方法。
【請求項６】
前記ルールがカテゴリ毎に設定されており、
前記（ｂ）のステップにおいて、前記カテゴリ毎に、前記出荷可能な農産物の量を推定し、
前記（ｅ）のステップにおいて、前記カテゴリ毎に、前記ルールを更新する、
請求項５に記載の集荷量調整支援方法。
【請求項７】
（ｆ）前記コンピュータによって、設定された期間中において、前記（ｄ）のステップで取得された前記集荷量と、前記調製作業が行なわれていない農産物について、前記（ｂ）のステップで推定した前記出荷可能な農産物の量と、を用いて、前記設定された期間における出荷量を推定する、ステップと、
（ｇ）前記（ｆ）のステップで推定された前記出荷量を外部に通知する、ステップと、
を更に有する、請求項５または６に記載の集荷量調整支援方法。
【請求項８】
（ｈ）前記コンピュータによって、前記（ｆ）のステップで推定された前記出荷量と、予め設定されている予定出荷量とを比較する、ステップと、
（ｉ）前記コンピュータによって、前記（ｈ）のステップで得られた比較の結果を外部に通知する、ステップと、
を更に有する、請求項７に記載の集荷量調整支援方法。
【請求項９】
コンピュータによって、集出荷場で収集される農産物の集荷量の調整を支援するための、プログラムであって、
前記コンピュータに、
（ａ）前記集出荷場に納入された農産物の納入量を取得する、ステップと、
（ｂ）取得された前記納入量に係数を乗算し、得られた乗算値を、納入された前記農産物のうちの出荷可能な農産物の量として推定する、ルールを、前記（ａ）のステップで取得された前記納入量に適用して、納入された前記農産物のうちの出荷可能な農産物の量を推定する、ステップと、
（ｃ）前記（ｂ）のステップで推定された前記出荷可能な農産物の量を外部に通知する、ステップと、
（ｄ）納入された前記農産物に対する調製作業において出荷可能と判断された農産物の量である集荷量を取得する、ステップと、
（ｅ）新たに農産物が納入される度に、前記（ｄ）のステップで取得された前記集荷量と前記（ａ）のステップで取得された前記納入量との比率を算出し、更に算出した前記比率全ての平均値を算出し、算出した前記平均値に基づいて、前記係数を更新することによって、前記ルールを更新する、ステップと、
を実行させる、プログラム。
【請求項１０】
前記ルールがカテゴリ毎に設定されており、
前記（ｂ）のステップにおいて、前記カテゴリ毎に、前記出荷可能な農産物の量を推定し、
前記（ｅ）のステップにおいて、前記カテゴリ毎に、前記ルールを更新する、
請求項９に記載のプログラム。
【請求項１１】
前記コンピュータに、
（ｆ）設定された期間中において、前記（ｄ）のステップで取得された前記集荷量と、前記調製作業が行なわれていない農産物について、前記（ｂ）のステップで推定した前記出荷可能な農産物の量と、を用いて、前記設定された期間における出荷量を推定する、ステップと、
（ｇ）前記（ｆ）のステップで推定された前記出荷量を外部に通知する、ステップと、
を更に実行させる、請求項９または１０に記載のプログラム。
【請求項１２】
前記コンピュータに、
（ｈ）前記（ｆ）のステップで推定された前記出荷量と、予め設定されている予定出荷量とを比較する、ステップと、
（ｉ）前記（ｈ）のステップで得られた比較の結果を外部に通知する、ステップと、
を更に実行させる、請求項１１に記載のプログラム。
【発明の詳細な説明】
【技術分野】
【０００１】
本発明は、農産物の集荷場等での集荷量の調整を支援し得る、集荷量調整支援装置、集荷量調整支援方法、及びプログラムに関する。
【背景技術】
【０００２】
従来から、農業分野においては、農産物の出荷業務の効率化を図るため、生産者によって形成された生産者団体によって出荷業務が行なわれている。また、このような生産者団体による出荷業務を支援するため、例えば、特許文献１は、出荷先の求める出荷量及び出荷時期と、生産者における収穫量及び収穫時期との間にズレが生じた場合に、実際の出荷量を調整する、システムを開示している。
【０００３】
また、近年においては、生産者団体が、大口の実需者と契約するケースが増加している。このようなケースでは、生産者団体は、実需者への契約出荷量を確保するため、各生産者の収量を相互に補完する運営を行なっている。具体的には、生産者団体が管理する集出荷場の管理者が、当該団体に加盟する生産者からの農産物の集荷量を調整するため、電話などの通信手段を用いて、各生産者に対して収穫及び集荷を指示している。なお、管理者には、農業指導を行なう指導員、集荷場の運営者、生産者等も含まれる。
【０００４】
ところで、一般に、生産者によって集出荷場に納入される農産物の中には、出荷基準（傷の有無、虫食いの有無、サイズ、色等）に適合していないものがある。従って、集出荷場では、納入された農産物の中から、出荷基準を満たさないものを廃棄する調製作業が実施され、出荷基準に適合する農産物の量のみが集荷量としてカウントされる。このため、管理者は、調製作業によって廃棄される量（廃棄量）を予測して、集荷量を調整する必要がある。
【先行技術文献】
【特許文献】
【０００５】
【特許文献１】特開平１０−２２２５５８号公報
【発明の概要】
【発明が解決しようとする課題】
【０００６】
しかしながら、廃棄量の予測は、実際のところ、管理者の経験と勘に頼っているため、集荷量の調整が困難になる場合がある。例えば、例年よりも降雨量が多かった年では、野菜が育ちすぎてしまい、通常よりも、納入量に対する廃棄量の割合が高くなり、集荷調整がうまくいかない事態が発生することがある。
【０００７】
また、上記特許文献１に開示されたシステムでは、このような事態に対処することは、不可能である。このため、納入量から集荷量を正確に予測できるシステムの開発が求められている。
【０００８】
本発明の目的の一例は、上記問題を解消し、生産者から納入された農産物の量から、出荷基準を満たす農産物の量を予測し得る、集荷量調整支援装置、集荷量調整支援方法、及びプログラムを提供することにある。
【課題を解決するための手段】
【０００９】
上記目的を達成するため、本発明の一側面における集荷量調整支援装置は、集出荷場で収集される農産物の集荷量の調整を支援するための装置であって、
前記集出荷場に納入された農産物の納入量を取得する、データ取得部と、
取得された前記納入量に設定されたルールを適用して、納入された前記農産物のうちの出荷可能な農産物の量を推定する、集荷量予測部と、
推定された前記出荷可能な農産物の量を外部に通知する、データ通知部と、
を備えている、ことを特徴とする。
【００１０】
また、上記目的を達成するため、本発明の一側面における集荷量調整支援方法は、集出荷場で収集される農産物の集荷量の調整を支援するための方法であって、
（ａ）前記集出荷場に納入された農産物の納入量を取得する、ステップと、
（ｂ）前記（ａ）のステップで取得された前記納入量に設定されたルールを適用して、納入された前記農産物のうちの出荷可能な農産物の量を推定する、ステップと、
（ｃ）前記（ｂ）のステップで推定された前記出荷可能な農産物の量を外部に通知する、ステップと、
を有する、ことを特徴とする。
【００１１】
更に、上記目的を達成するため、本発明の一側面におけるプログラムは、コンピュータによって、集出荷場で収集される農産物の集荷量の調整を支援するための、プログラムであって、
前記コンピュータに、
（ａ）前記集出荷場に納入された農産物の納入量を取得する、ステップと、
（ｂ）前記（ａ）のステップで取得された前記納入量に設定されたルールを適用して、納入された前記農産物のうちの出荷可能な農産物の量を推定する、ステップと、
（ｃ）前記（ｂ）のステップで推定された前記出荷可能な農産物の量を外部に通知する、ステップと、
を実行させる、ことを特徴とする。
【発明の効果】
【００１２】
以上のように、本発明によれば、生産者から納入された農産物の量から、出荷基準を満たす農産物の量を予測することができる。
【図面の簡単な説明】
【００１３】
【図１】図１は、本発明の実施の形態における集荷量調整支援装置の構成を示すブロック図である。
【図２】図２は、本発明の実施の形態における集荷量調整支援装置の推定集荷量の算出処理時での動作を示すフロー図である。
【図３】図３は、本発明の実施の形態における集荷量調整支援装置の推定出荷量の算出処理時での動作を示すフロー図である。
【図４】図４は、本発明の実施の形態において管理者端末の画面に表示される情報の一例を示す図である。
【図５】図５は、本発明の実施の形態における集荷量調整支援装置を実現するコンピュータの一例を示すブロック図である。
【発明を実施するための形態】
【００１４】
（実施の形態）
以下、本発明の実施の形態における、集荷量調整支援装置、集荷量調整支援方法、及びプログラムについて、図１〜図５を参照しながら説明する。
【００１５】
［装置構成］
最初に、本実施の形態における集荷量調整支援装置の構成について図１を用いて説明する。図１は、本発明の実施の形態における集荷量調整支援装置の構成を示すブロック図である。
【００１６】
図１に示す本実施の形態における集荷量調整支援装置は、集出荷場で収集される農産物の集荷量の調整を支援するための装置である。また、本実施の形態において、「農産物の集荷量の調整」とは、複数の生産者から集荷場に集められる農産物の量が、予定している量に到達するように、集荷場の管理者が、各生産者との間で連絡をとって、各生産者が集荷場に持ち込む農産物の量を調整することをいう。
【００１７】
図１に示すように、集荷量調整支援装置１０は、データ取得部１１と、集荷量予測部１２と、データ通知部１３とを備えている。このうち、データ取得部１１は、集出荷場に納入された農産物の納入量を取得する。
【００１８】
また、集荷量予測部１２は、取得された納入量に、設定されたルールを適用して、納入された農産物のうちの出荷可能な農産物の量（以下「推定集荷量」と表記する。）を推定する。データ通知部１３は、推定集荷量を外部に通知する。
【００１９】
このように、集荷量調整支援装置１０によれば、生産者から納入された農産物の量から、出荷基準を満たす農産物の量を予測することができる。この結果、管理者は、予測された農産物の量を参考に集荷量の調整を行なうことができるので、集荷量の調整がうまくいかない事態の発生が抑制される。
【００２０】
なお、本実施の形態における農産物の「量」は、Kgといった質量の単位、又はm3といった体積の単位で表されていても良いし、集荷場等に使用されているバケット等の容器の個数で表されていても良い。
【００２１】
ここで、図１に示す集荷量調整支援装置１０について更に具体的に説明する。本実施の形態では、図１に示すように、集荷量調整支援装置１０は、生産者の端末（以下「生産者端末」と表記する）２０と、集荷場の管理者の端末（以下「管理者端末」と表記する）３０とに、ネットワーク（図１において図示せず）を介して接続されている。
【００２２】
また、本実施の形態では、集荷量調整支援装置１０は、集荷場の管理用のコンピュータ４０（以下「管理コンピュータ４０」と表記する。）にも、ネットワーク（図１において図示せず）を介して接続されている。管理コンピュータ４０は、集荷場において、農産物の納入量、集荷量といったデータの入力及び管理に用いられている。
【００２３】
なお、「集荷量」とは、納入された農作物に対する調製作業において出荷可能と判断された農産物の量をいう。また、調製作業における出荷可能かどうかの判断は、例えば、農産物の種類、生産時期、出荷先等に応じて予め設定された出荷基準に基づいて行なわれる。
【００２４】
また、本実施の形態では、データ取得部１１は、管理コンピュータ４０から、納入量を取得する。更に、データ取得部１１は、管理コンピュータ４０から集荷量も取得する。取得された納入量及び集荷量は、集荷量予測部１２に出力される。
【００２５】
集荷量予測部１２は、上述したように、ルールに基づいて、推定集荷量を推定し、推定集荷量をデータ通知部１３に出力する。そして、データ通知部１３は、管理者端末３０に、推定集荷量を通知する。これにより、管理者は、推定集荷量を知ることができるので、集荷量の調整を円滑に進めることができる。
【００２６】
また、本実施の形態においては、ルールは、カテゴリ毎に設定されていても良い。この場合、集荷量予測部１２は、カテゴリ毎に、推定集荷量を推定する。カテゴリとしては、農産物の種類、生産時期、出荷先、生産者、及びこれらの任意の組み合わせが挙げられる。これは出荷基準に適合せずに廃棄される量の割合は、農産物の種類、生産時期、出荷先、更には生産者によって異なるからである。
【００２７】
ルールの具体例としては、例えば、「納入量に換算係数ｋを乗算し、得られた値を、推定集荷量として推定する」ことを規定したルールが挙げられる。この場合、換算係数ｋは、集荷場の管理者によって、過去の実績等に基づいて適宜設定される。また、ルールがカテゴリ毎に設定される場合は、換算係数ｋが、種類毎、出荷先毎、生産者毎、又はこれらの任意の組み合わせ毎に設定される。また、どのカテゴリのルールを適用するべきかの判断は、あらかじめ管理者によって運用に先立って行なわれてもよい。
【００２８】
また、本実施の形態では、集荷量予測部１２は、更に、集荷量と納入量とに基づいて、ルールを更新することができる。例えば、上述の換算係数ｋを用いたルールが採用されているとすると、集荷量予測部１２は、集荷量と納入量との比率を算出し、算出した比率に基づいて、換算係数ｋを更新する。
【００２９】
具体的には、例えば、ルールの更新が、生産者から農産物が納入される度に行なわれるとすると、集荷量予測部１２は、算出された比率を、そのまま換算係数ｋとして用いることで更新を実行する。また、ルールの更新が、集荷場での営業終了後に行なわれるとすると、集荷量予測部１２は、農産物が納入される度に算出した比率全ての平均値を算出し、算出した平均値を換算係数ｋとして用いることで更新を実行する。
【００３０】
更に、ルールの更新は、月単位などの設定期間毎に行なわれていても良い。この場合は、集荷量予測部１２は、設定期間における納入量の総和と、同じく設定期間における集荷量の総和との比率を算出し、この比率を更新後の換算係数ｋとすることができる。
【００３１】
このようにして更新された換算係数ｋは、実際に納入された農産物の納入時の量と、実際の調製作業後の実際の量とに基づいた値となるため、推定集荷量の精度の向上が図られることになる。
【００３２】
また、ルールがカテゴリ毎に設定されている場合は、集荷量予測部１２は、カテゴリ毎に、ルールを更新する。つまり、換算係数ｋが、上述したように、種類毎、出荷先毎、生産者毎、又はこれらの任意の組み合わせ毎に設定されている場合は、換算係数ｋの更新は、種類毎、出荷先毎、生産者毎、又はこれらの任意の組み合わせ毎に行なわれる。
【００３３】
また、本実施の形態では、集荷量予測部１２は、設定された期間中において、データ取得部１１で取得された集荷量と、未だ調製作業が行なわれていない農産物について推定した推定集荷量と、を用いて、設定された期間における出荷量（以下「推定出荷量」）を推定することができる。
【００３４】
具体的には、設定された期間としては、１日の営業開始から営業終了までの期間が挙げられる。この場合、集荷量予測部１２は、設定時刻毎に、その時点までにデータ取得部１１で取得された集荷量と、その時点までに調製作業が行なわれていない農産物の推定集荷量とを合計し、得られた合計値を、推定出荷量とする。また、集荷量予測部１２は、推定出荷量をデータ通知部１３に出力する。
【００３５】
また、集荷量予測部１２は、推定した推定出荷量と、予め設定されている予定出荷量とを比較することができる。「予定出荷量」は、集荷場を運営する生産者団体と市場の実需者との間で予め取り決められている出荷量である。集荷量予測部１２は、比較を行なった場合は、比較結果もデータ通知部１３に出力する。
【００３６】
データ通知部１３は、生産者端末２０及び管理者端末３０の両方に、推定出荷量と比較結果とを通知する。これにより、管理者及び生産者は、農産物の出荷量が予定出荷量に到達するかどうかを簡単に予想できるので、集荷量の調整作業の失敗を容易に回避することができる。
【００３７】
また、データ通知部１３は、換算係数ｋを生産者端末２０に送信することもできる。この態様では、換算係数ｋが生産者にフィードバックされることになるので、生産者は納入量として適切な量を学習することができる。このため、生産者自身による自律的な納入量の調整が期待でき、結果として納入量過不足の発生頻度を抑制する効果も期待できる。
【００３８】
［装置動作］
次に、本発明の実施の形態における集荷量調整支援装置の動作について図２〜図４を用いて説明する。また、本実施の形態では、集荷量調整支援装置１０を動作させることによって、集荷量調整支援方法が実施される。よって、本実施の形態における集荷量調整支援方法の説明は、以下の集荷量調整支援装置の動作説明に代える。
【００３９】
まず、推定集荷量の算出処理について図２を用いて説明する。図２は、本発明の実施の形態における集荷量調整支援装置の推定集荷量の算出処理時での動作を示すフロー図である。
【００４０】
図２に示すように、最初に、集荷量予測部１２は、農産物が納入されたかどうかを判定する（ステップＡ１）。具体的には、集荷量予測部１２は、データ取得部１１によって、新たに納入された農産物の納入量が取得されているかどうかを判定する。
【００４１】
ステップＡ１の判定の結果、農作物が納入されていない場合は、集荷量予測部１２は、待機状態となり、設定時間の経過後に、再度ステップＡ１を実行する。一方、ステップＡ１の判定の結果、農作物が納入されている場合は、集荷量予測部１２は、データ取得部１１によって取得された納入量に、ルールを適用して、具体的には、換算係数ｋを乗算して、推定集荷量を算出する（ステップＡ２）。
【００４２】
次に、集荷量予測部１２は、データ通知部１３に対して、算出した推定集荷量を出力し、管理者端末３０に推定集荷量を通知させる（ステップＡ３）。
【００４３】
次に、集荷量予測部１２は、ステップＡ１からＡ３の対象となった農産物についての集荷量が管理コンピュータ４０に入力されているかどうかを判定する（ステップＡ４）。具体的には、集荷量は、管理コンピュータ４０に入力されると、データ取得部１１によって取得されるので、集荷量予測部１２は、データ取得部１１によって、集荷量が取得されているかどうかを判定する。
【００４４】
ステップＡ４の結果、集荷量が管理コンピュータ４０に入力されていない場合は、集荷量予測部１２は、待機状態となり、設定時間の経過後に、再度ステップＡ４を実行する。一方、ステップＡ４の結果、集荷量が管理コンピュータ４０に入力されている場合は、集荷量予測部１２は、ルールを更新する（ステップＡ５）。
【００４５】
具体的には、ステップＡ５では、集荷量予測部１２は、データ取得部１１によって取得された集荷量と納入量との比率を算出し、算出した比率を、新たな換算係数ｋとして、ルールを更新する。
【００４６】
以上のステップＡ１〜Ａ５が実行されると、管理者は、納入された農産物の推定集荷量を知ることができるので、これを参考にして集荷量の調整を行なうことができる。この結果、集荷量の調整がうまくいかない事態の発生が抑制される。
【００４７】
続いて、推定出荷量の算出処理について図３を用いて説明する。図３は、本発明の実施の形態における集荷量調整支援装置の推定出荷量の算出処理時での動作を示すフロー図である。
【００４８】
図３に示すように、最初に、集荷量予測部１２は、設定時刻にとなると、営業開始から現在までの間にデータ取得部１１で取得された集荷量の合計を算出する（ステップＢ１）。
【００４９】
次に、集荷量予測部１２は、ステップＢ１で算出した集荷量の合計と、未だ調製作業が行なわれていない農産物について算出した推定集荷量とを合算し、推定出荷量を算出する（ステップＢ２）。
【００５０】
次に、集荷量予測部１２は、ステップＢ２で算出した推定出荷量と予め設定されている予定出荷量とを比較する（ステップＢ３）。そして、集荷量予測部１２は、推定出荷量と予定出荷量との比較結果をデータ通知部１３に出力する。
【００５１】
次に、データ通知部１３は、生産者端末２０及び管理者端末３０の両方に、推定出荷量予定出荷量と比較結果との比較結果を通知する（ステップＢ４）。ステップＢ４が実行されると、生産者端末２０及び管理者端末３０それぞれの画面には、推定出荷量と予定出荷量との比較結果が表示される。
【００５２】
図４は、本発明の実施の形態において管理者端末の画面に表示される情報の一例を示す図である。図４の例では、管理者端末の画面には、農産物の品目毎に、各生産者の納入量が時系列で表示されると共に、予定出荷量と、設定時刻毎に算出された推定出荷量とが表示される。なお、図４において、「ほうれんそう」が選択されている。また、図４において、Ａ〜Ｅは、生産者からの集荷量を示している。
【００５３】
このように、以上のステップＢ１〜Ｂ４が実行されると、管理者は、一目で集荷量の調整がどのような状態にあるかを把握することができる。このため、集荷量の調整作業の失敗は容易に回避される。
【００５４】
［プログラム］
本発明の実施の形態におけるプログラムは、コンピュータに、図２に示すステップＡ１〜Ａ５、図３に示すＢ１〜Ｂ４を実行させるプログラムであれば良い。このプログラムをコンピュータにインストールし、実行することによって、本実施の形態における集荷量調整支援装置と集荷量調整支援方法とを実現することができる。この場合、コンピュータのＣＰＵ（Central Processing Unit）は、データ取得部１１、集荷量予測部１２、及びデータ通知部１３として機能し、処理を行なう。
【００５５】
ここで、本実施の形態におけるプログラムを実行することによって、集荷量調整支援装置１０を実現するコンピュータについて図５を用いて説明する。図５は、本発明の実施の形態における集荷量調整支援装置を実現するコンピュータの一例を示すブロック図である。
【００５６】
図５に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００５７】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００５８】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００５９】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００６０】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【産業上の利用可能性】
【００６１】
以上のように、本発明によれば、集荷場において、生産者から納入された農産物の量から、出荷基準を満たす農産物の量を予測することができる。本発明は、生産者及び生産時期の特性を考慮して出荷基準を満たす量を予測する特徴を有し、農業分野に有用である。
【符号の説明】
【００６２】
１０  集荷量調整支援装置
１１  データ取得部
１２  集荷量予測部
１３  データ通知部
２０  生産者端末
３０  管理者端末
４０  管理コンピュータ
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
0006504595.tif 000002
【図２】
0006504595.tif 000003
【図３】
0006504595.tif 000004
【図４】
0006504595.tif 000005
【図５】
0006504595.tif 000006